(57)【要約】      （修正有）【課題】外輪回転タイプの転がり軸受装置において、ナックル取付用のフランジの突出部の数がブレーキディスク取付用ボルトが挿通される部分の数と異なる場合であっても、ブレーキディスクを外輪部材に取り付ける際の作業性を向上させることができる車輪用転がり軸受装置を提供する。【解決手段】軸方向一端部側の外周部に車体側に取り付けられる複数のフランジ部１が放射状に形成された内輪部材２と、転動体３を介して回転可能に配設され、ブレーキディスク４が取り付けられる外輪部材５と、を備えた車輪用転がり軸受装置Ｂ。前記ブレーキディスク４には、当該ブレーキディスク４を前記内輪部材２の一端部側から外輪部材５に取り付ける際に前記フランジ部１と干渉しないように、前記内輪部材２のフランジ部１の数をｎとすると、径方向外方に延びる（ｎ＋１）個の切欠き１７を含む、内縁が曲線で構成された花びら状の開口部１８が形成されている。【選択図】図２
2008007053.tif 000002
【特許請求の範囲】
【請求項１】
軸方向一端部側の外周部に車体側に取り付けられる複数のフランジ部が放射状に形成された内輪部材と、この内輪部材の外径側において転動体を介して回転可能に且つ当該内輪部材と同心に配設され、ブレーキディスクが取り付けられる外輪部材と、を備えた車輪用転がり軸受装置であって、
前記ブレーキディスクには、当該ブレーキディスクを前記内輪部材の一端部側から外輪部材に取り付ける際に前記フランジ部と干渉しないように、前記内輪部材のフランジ部の数をｎとすると、径方向外方に延びる（ｎ＋１）個の切欠きを含む、内縁が曲線で構成された花びら状の開口部が形成されていることを特徴とする車輪用転がり軸受装置。
【発明の詳細な説明】
【技術分野】
【０００１】
本発明は車輪用転がり軸受装置に関する。さらに詳しくは、外輪部材にブレーキディスクが取り付けられた、外輪回転タイプの車輪用転がり軸受装置に関する。
【背景技術】
【０００２】
車両のブレーキ装置を構成する部材の１つであるブレーキディスクは、当該車両の車輪を回転自在に支持する転がり軸受装置の内輪部材又は外輪部材の外周面に形成されたフランジに固定されているが、前記ブレーキディスクを転がり軸受装置に組み付ける際、又は交換のために当該ブレーキディスクを転がり軸受装置から取り外す際の作業性をよくするために、車輪取付用のフランジが通過できる所定形状の開口部をブレーキディスクの中央部に形成することが知られている（例えば、特許文献１参照）。
【０００３】
この特許文献１には、ハブホイールの車両アウタ側の外周面に径方向外向きに形成されたフランジの外形、及びブレーキディスクの中心孔の形状が、前記フランジに対して前記ブレーキディスクを所定の位相角度で対面させたときには前記ブレーキディスクを前記フランジの車両アウタ側から車両インナ側へ通過可能にする一方で、前記位相角度から所定角度回転させて対面させたときには前記ブレーキディスクと前記フランジとが軸心方向に対向する状態となるよう規定されている転がり軸受装置が記載されている。
【０００４】
そして、この転がり軸受装置では、ブレーキディスクを、転がり軸受装置の車両アウタ側から組み込んで、ハブホイールのフランジの車両インナ側の面に取り付けるようにしていることから、車体に転がり軸受装置を取り付けた後にブレーキディスクの脱着を行う場合でも、転がり軸受装置をわざわざ車体から取り外さなくても、ブレーキディスクのみを単独で取り外すことができる。
【０００５】
【特許文献１】特開２００３−２０６９６７号公報
【発明の開示】
【発明が解決しようとする課題】
【０００６】
しかしながら、特許文献１記載の転がり軸受装置では、その図２〜３より明らかなように、前記フランジの外形とブレーキディスク中央部に形成される中心孔の形状を略同一にし、且つ前記フランジの外形のサイズを前記中心孔のサイズよりも若干小さくすることで、前記ブレーキディスクを前記フランジの車両アウタ側から車両インナ側へ通過可能にしており、通過すべきフランジの径方向外方に突出する部分の数（換言すれば、この突出部分に挿通される部材取付用ボルトの数）と、ブレーキディスクの中心孔の突出部分の数（換言すれば、ブレーキディスク取付用のボルトの数）とが同じ場合にしか、適用することができず、設計の自由度が低いことから利用範囲が限られるという問題がある。
【０００７】
本発明は、このような事情に鑑みてなされたものであり、外輪回転タイプの転がり軸受装置において、ナックル取付用のフランジの突出部の数がブレーキディスク取付用ボルトが挿通される部分の数と異なる場合であっても、ブレーキディスクを外輪部材に取り付ける際の作業性を向上させることができる車輪用転がり軸受装置を提供することを目的としている。
【課題を解決するための手段】
【０００８】
本発明の車輪用転がり軸受装置（以下、単に軸受装置ともいう）は、軸方向一端部側の外周部に車体側に取り付けられる複数のフランジ部が放射状に形成された内輪部材と、この内輪部材の外径側において転動体を介して回転可能に且つ当該内輪部材と同心に配設され、ブレーキディスクが取り付けられる外輪部材と、を備えた車輪用転がり軸受装置であって、
前記ブレーキディスクには、当該ブレーキディスクを前記内輪部材の一端部側から外輪部材に取り付ける際に前記フランジ部と干渉しないように、前記内輪部材のフランジ部の数をｎとすると、径方向外方に延びる（ｎ＋１）個の切欠きを含む、内縁が曲線で構成された花びら状の開口部が形成されていることを特徴としている。
【０００９】
本発明の軸受装置では、ブレーキディスクが内輪部材の一端部側（車両インナ側）から外輪部材に直接に取り付ける。その際、前記内輪部材の一端部側の外周部には、軸受装置を車体側に取り付けるための複数のフランジ部が放射状に形成されているが、前記ブレーキディスクには、前記内輪部材のフランジ部の数をｎとすると、径方向外方に延びる（ｎ＋１）個の切欠きを含む、内縁が曲線で構成された花びら状の開口部が形成されていることから、前記内縁の曲線形状を調整することで、ブレーキディスクがフランジ部を通過するときに当該ブレーキディスクがフランジ部と干渉しないようにすることができる。
これにより、軸受装置を組み立てた後に当該軸受装置にブレーキディスクを取り付けることができ、ブレーキディスクを外輪部材に取り付ける際の作業性を向上させることができる。
【発明の効果】
【００１０】
本発明の軸受装置によれば、外輪回転タイプの転がり軸受装置において、ナックル取付用のフランジの突出部の数がブレーキディスク取付用ボルトが挿通される部分の数と異なる場合であっても、ブレーキディスクを外輪部材に取り付ける際の作業性を向上させることができる。
【発明を実施するための最良の形態】
【００１１】
以下、添付図面を参照しつつ、本発明の軸受装置の実施の形態を詳細に説明する。
図１は本発明の軸受装置の一実施の形態の軸方向断面説明図であり、図２は、図１に示される軸受装置を車両インナ側から見た図である。なお、図１において、左側が車両インナ側であり、右側が車両アウタ側である。
軸受装置Ｂは、車両における従動輪側の車軸用軸受装置であり、軸方向一端部側の外周部に車体側に取り付けられる複数のフランジ部１（図２参照）が放射状に形成された内輪部材２と、この内輪部材２の外径側において転動体であるボール３を介して回転可能に且つ当該内輪部材２と同心に配設され、ブレーキディスク４が取り付けられた外輪部材５とで主に構成されている。前記内輪部材２は、内軸６と、この内軸６の車両アウタ側端部外径に嵌合された別体の内輪構成部材７とで構成されており、前記内輪構成部材７は、ボルト８により前記内軸６の外周の所定位置に固定されている。
【００１２】
外輪部材５の内周面には複列の外輪軌道面９ａ、９ｂが形成されており、一方、前記内軸６の外周面及び前記内輪構成部材７の外周面には、それぞれ前記外輪軌道面９ａ、９ｂに対応する内輪軌道面１０ａ、１０ｂが形成されている。そして、両軌道面間に前記ボール３が、保持器１１によって周方向において所定間隔で保持された状態で転動自在に配設されている。
【００１３】
外輪部材５の車両アウタ側端部の開口は、例えば鉄などの金属をプレス成形することで作製されたカバー１２により覆われており、また前記内輪部材２と外輪部材５との間の環状空間の両端はシール１３により密封されている。
なお、１４は、前記ブレーキディスク４を外輪部材５に取り付けるためのボルトであり、１５は、車両のホイール（図示せず）を外輪部材５の車両アウタ側端部の外周に形成された外輪フランジ１６に取り付けるためのボルトである。
【００１４】
図３は、図１に示される軸受装置Ｂにおける内輪部材２外周のフランジ部１、ブレーキディスク４の開口部１８、及び外輪部材５におけるブレーキディスク取付面の内縁又は外縁を示す図であり、図２〜３に示されるように、前記ブレーキディスク４の中央部には、径方向外方に延びる切欠き１７を含む開口部１８が形成されている。図３において、実線は内輪部材２を構成する内軸６の一端部の外周に形成されるフランジ部１の外縁を示しており、破線はブレーキディスク４の開口部１８の周縁を示しており、また、一点鎖線は外輪部材５におけるブレーキディスク取付面の外縁を示している。
【００１５】
前記開口部１８の内縁１８ａは曲線で構成されており、花びら状の形状を呈している。そして、前記切欠き１７以外の内方突出部１９が前記ボルト１４により外輪部材５に固定される。
また、内輪部材２を構成する内軸６の一端部の外周に形成されるフランジ部１の数は４であり、ブレーキディスク４の切欠き１７の数はフランジ部１の数よりも１つ多い５である。なお、バランスをよくするために、ブレーキディスク４は、周方向において等間隔の位置（箇所）で外輪部材５に固定されており、このため前記内方突出部１９は周方向において等間隔に形成されている。換言すれば、ブレーキディスク４の切欠き１７も、周方向において等間隔に形成されている。
【００１６】
ブレーキディスク４は、組み立てられた状態の軸受装置Ｂの車両インナ側より、当該軸受装置Ｂの外輪部材５に前記ボルト１４によって取り付けられる。その際、ブレーキディスク４の開口部１８が前記フランジ部１を通過する必要があるが、本実施の形態では、前記４つのフランジ部１のうち隣接する２つのフランジ部１が、前記ブレーキディスク４の隣接する２つの切欠き１７を通過できるように、当該切欠き１７の内縁が曲線で形成されている。
【００１７】
図４は、ブレーキディスク４の開口部１８をフランジ部１を通過させる手順を説明する図であり、（ａ）に示されるように、まずブレーキディスク４を車両アウタ側に傾斜させて、４つのフランジ部１のうち隣接する２つのフランジ部１を、前記ブレーキディスク４の隣接する２つの切欠き１７を通過させる。ついで、前記２つのフランジ部１が前記２つの切欠き１７を通過して、前記ブレーキディスク４の傾斜した部分の車両アウタ側の面が外輪部材５の一部と接触した状態で、当該ブレーキディスク４の、先ほど傾斜させた部位と反対側（ブレーキディスクの中心に関して反対側）の部位を車両アウタ側に傾斜させることで、４つのフランジ部１のうち残りの２つのフランジ部１を開口部１８を通過させる（図４の（ｂ））。開口部１８を通過させた後に、ブレーキディスク４を所定の角度だけ回転させて、当該ブレーキディスク４の内方突出部１９を外輪部材５への取り付け位置に配置させる（図４の（ｃ））。このようにして、フランジ部１と干渉しないように、ブレーキディスク４を外輪部材５の所定位置に取り付けることができる。
【００１８】
図５は本発明の他の実施の形態に係る軸受装置を車両インナ側から見た図であり、図６は図５に示される軸受装置における内輪部材外周のフランジ部、ブレーキディスク及び外輪部材におけるブレーキディスク取付面の内縁又は外縁を示す図である。図６において、実線は内輪部材２を構成する内軸６の一端部の外周に形成されるフランジ部１の外縁を示しており、破線はブレーキディスク４の開口部１８の周縁を示しており、また、一点鎖線は外輪部材５におけるブレーキディスク取付面の外縁を示している。この実施の形態では、内輪部材２を構成する内軸６の一端部の外周に形成されるフランジ部１の数は３であり、ブレーキディスク４の切欠き１７の数はフランジ部１の数よりも１つ多い４である。前記フランジ部１の外縁は二等辺三角形状を呈しており、一方、ブレーキディスク４の開口部１８の周縁は十字形状を呈している。
【００１９】
この実施の形態においても、ブレーキディスク４を車両アウタ側に傾斜させて、前記３つのフランジ部１のうち二等辺三角形の底辺両端に位置する２つのフランジ部１を、前記ブレーキディスク４の隣接する２つの切欠き１７を通過させ、以下、図４と同様の手順でフランジ部１と干渉しないように、ブレーキディスク４を外輪部材５の所定位置に取り付けることができる。
【図面の簡単な説明】
【００２０】
【図１】本発明の一実施の形態に係る軸受装置の軸方向断面説明図である。
【図２】図１に示される軸受装置を車両インナ側から見た図である。
【図３】図１に示される軸受装置における内輪部材外周のフランジ部、ブレーキディスク及び外輪部材におけるブレーキディスク取付面の内縁又は外縁を示す図である。
【図４】図１に示される軸受装置において、ブレーキディスクを外輪部材に取り付ける際に、当該ブレーキディスク中心部の開口部を内輪部材外周のフランジ部を通過させる手順を説明する図である。
【図５】本発明の他の実施の形態に係る軸受装置を車両インナ側から見た図である。
【図６】図５に示される軸受装置における内輪部材外周のフランジ部、ブレーキディスク及び外輪部材におけるブレーキディスク取付面の内縁又は外縁を示す図である。
【符号の説明】
【００２１】
１      フランジ部
２      内輪部材
３      ボール（転動体）
４      ブレーキディスク
５      外輪部材
６      内軸
７      内輪構成部材
１６      外輪フランジ
１７      切欠き
１８      開口部
１９      内方突出部
Ｂ      軸受装置
【図１】
2008007053.tif 000003
【図２】
2008007053.tif 000004
【図３】
2008007053.tif 000005
【図４】
2008007053.tif 000006
【図５】
2008007053.tif 000007
【図６】
2008007053.tif 000008